(57)【要約】      （修正有）【課題】スカーフやリボンからなる装飾を、襟部の裏側や首回りにワンタッチで簡単に着用することができる衣服を提供する。【解決手段】スカーフ１６あるいはリボンからなる装飾を、襟部１２の裏側又は首回りに着用することができる衣服１１であって、襟部の裏側、首回りの内側、又は首回りの中央部には、装飾を挿通して保持するためのループ部１３が取り付けられていることを特徴とする。【選択図】図９
0003186092.tif 000002
【実用新案登録請求の範囲】
【請求項１】
スカーフあるいはリボンからなる装飾を、襟部の裏側又は首回りに着用することができる衣服であって、
前記襟部の裏側、首回りの内側、又は首回りの中央部には、前記装飾を挿通して保持するためのループ部が取り付けられていること
を特徴とする衣服。
【請求項２】
前記ループ部の取り付けは、縫着、スナップ止め、ボタン止め、又は面ファスナー止めであること
を特徴とする請求項１に記載の衣服。
【考案の詳細な説明】
【技術分野】
【０００１】
本考案は、衣服に関するものであり、更に詳しくは、スカーフあるいはリボンからなる装飾を、襟部の裏側や首回りにワンタッチで簡単に着用することができる衣服に関するものである。
【背景技術】
【０００２】
従来、衣服の襟部にスカーフを着用する場合は、襟部やその裏側に沿ってスカーフを巻き付けてから、長さや形を綺麗に整える手順でおこなう。
また、衣服の首回りにリボンを取り付ける場合には、リボン布をリボンループなどの適宜の部位に通してリボン型に結んでから、リボンを広げて綺麗に形を整える手順でおこなう。
【０００３】
また、実用新案登録第３００９４２８号公報には、スカーフの止め具の考案が開示されており（特許文献１参照）、実用新案登録第３０１８０７６号公報には、スカーフを束ねるためのスカーフ用リングの考案が開示されており（特許文献２参照）、実用新案登録第３０１９６２６号公報には、スカーフを固定できる穴開きスカーフの考案が開示されている（特許文献３参照）。
【先行技術文献】
【特許文献】
【０００４】
【特許文献１】実用新案登録第３００９４２８号公報
【特許文献２】実用新案登録第３０１８０７６号公報
【特許文献３】実用新案登録第３０１９６２６号公報
【考案の概要】
【考案が解決しようとする課題】
【０００５】
従来例のようにスカーフを着用する場合は、首に巻き付けて長さや形を綺麗に整える手順が面倒であり、手間が掛かるという欠点がある。また、スカーフの取付位置が襟部のサイドである場合には、スカーフの自重で下側にズレ落ちるという不都合もある。
【０００６】
更に、衣服の首回りにリボンを取り付ける場合には、リボンは綺麗に結びにくくて厄介であり、うまく形が整えられないという欠点がある。
【０００７】
従って、従来例における場合においては、スカーフやリボンなどの装飾を、襟部や首回りにワンタッチで簡単に、かつ綺麗に形を整えて着用できる仕組みを設けることに解決しなければならない課題を有している。
【課題を解決するための手段】
【０００８】
前記従来例の課題を解決するための本考案の要旨は、スカーフあるいはリボンからなる装飾を、襟部の裏側又は首回りに着用することができる衣服であって、前記襟部の裏側、首回りの内側、又は首回りの中央部には、前記装飾を挿通して保持するためのループ部が取り付けられていることである。
【０００９】
また、前記ループ部の取り付けは、縫着、スナップ止め、ボタン止め、又は面ファスナー止めであること、；
を含むものである。
【考案の効果】
【００１０】
本考案に係る衣服によれば、スカーフあるいはリボンからなる装飾をループ部に挿通して保持することにより、ワンタッチで簡単に着用できる。そして、スカーフやリボンの長さや形を綺麗に整えることが容易におこなえる。
また、スカーフの取付位置が襟部のサイドであっても、スカーフがループ部に挿通して保持されるので、従来例のように自重で下側にズレ落ちないという種々の優れた効果を奏する。
【００１１】
ループ部の取り付けは、縫着、スナップ止め、ボタン止め、又は面ファスナー止めであることによって、ループ部の取り付け又は取り外しが簡単におこなえるという優れた効果を奏する。
【図面の簡単な説明】
【００１２】
【図１】本考案に係るシャツ（衣服）１１の正面図である。
【図２】本考案に係るシャツ（衣服）１１の正面図である。
【図３】スカーフ１４の正面図である。
【図４】スカーフ１４をループ部１３に挿通する状態を説明するシャツ１１の正面図である。
【図５】スカーフ１４をループ部１３に挿通した状態を示すシャツ１１の正面図である。
【図６】（イ）スカーフ１４を着用したシャツ１１の正面図である。（ロ）スカーフ１５がズレ落ちた状態を示す、従来例のシャツ１８の正面図である。
【図７】ミニスカーフ布１６ａと、ミニスカーフ１６の説明図である。
【図８】ミニスカーフ１６をループ部１３に挿通する状態を説明するシャツ１１の正面図である。
【図９】ミニスカーフ１６をループ部１３に挿通した状態を示すシャツ１１の正面図である。
【図１０】ミニスカーフ１６を着用したシャツ１１の正面図である。
【図１１】本考案に係るテーラード（衣服）２１の正面図である。
【図１２】本考案に係るテーラード（衣服）２１の正面図である。
【図１３】ミニスカーフ１６をループ部２３に挿通する状態を説明するテーラード２１の正面図である。
【図１４】ミニスカーフ１６をループ部２３に挿通した状態を示すテーラード２１の正面図である。
【図１５】ミニスカーフ１６を着用したテーラード２１の正面図である。
【図１６】本考案に係るノーカラー（衣服）３１の正面図である。
【図１７】本考案に係るノーカラー（衣服）３１の正面図である。
【図１８】ミニスカーフ３４をループ部３３に挿通する状態を説明するノーカラー３１の正面図である。
【図１９】ミニスカーフ３４を着用したノーカラー３１の正面図である。
【図２０】本考案に係るブラウス（衣服）４１の正面図である。
【図２１】本考案に係るブラウス（衣服）４１の正面図である。
【図２２】ミニスカーフ１６をループ部４４に挿通する状態を説明するブラウス４１の正面図である。
【図２３】ミニスカーフ１６を着用したブラウス４１の正面図である。
【図２４】本考案に係るブラウス（衣服）５２の正面図である。
【図２５】本考案に係るブラウス（衣服）５２の正面図である。
【図２６】ミニスカーフ５１をループ部５５に挿通する状態を説明するブラウス５２の正面図である。
【図２７】ミニスカーフ５１を着用したブラウス５２の正面図である。
【図２８】ミニスカーフ布１６ａと、ジャバラ型のミニスカーフ１６の説明図である。
【図２９】ミニスカーフ布１７ａと、シンプル型のミニスカーフ１７の説明図である。
【図３０】ミニスカーフ用袋５１ｃと、ミニスカーフ５１の説明図である。
【図３１】スカーフリボン型のミニスカーフ３４と、ノーカラー３１の説明図である。
【考案を実施するための形態】
【００１３】
次に、本考案の実施の形態について図面を参照しながら説明する。まず、図１及び図２において、符号１１はシャツ（衣服）を示し、このシャツ１１は、首回りに沿って襟部１２が形成されている。
【００１４】
襟部１２の裏側におけるサイドには、図２に示すように、ループ部１３が設けられている。ループ部１３は、例えば細幅でテープ状の布材を、襟部１２のサイドに縫着して形成し、スカーフ等の装飾を挿通して保持できるループを備えている。
【００１５】
図３の符号１４はスカーフを示す。このスカーフ１４をシャツ１１に着用する手順について説明する。まず、図４に示すように襟部１２の一部を持ち上げて、スカーフ１４をループ部１３に挿通してから、首回りを周回させて、再びループ部１３に挿通する（図４及び図５参照）。そして、スカーフ１４の両端の長さを調整して、襟部１２を基に戻してから、スカーフ１４の形を綺麗に整える手順でおこなう（図６（イ）参照）。
【００１６】
この場合、スカーフ１４の取付位置が襟部１２のサイドであっても、スカーフ１４がループ部１３に挿通して保持されているので下側にズレ落ちない。つまり、従来は図６（ロ）に示す従来例のシャツ１８のように、スカーフ１５が自重で下側にズレ落ちるが（矢印Ａ参照）、本考案のシャツ１１の場合は、そのようにズレ落ちる不都合が生じないのである。
【００１７】
次に、図７から図１０に、ミニスカーフ１６をシャツ１１のループ部１３に挿通する手順について説明する。まず、ミニスカーフ１６は、図７に示すように、正方形状又は長方形状のミニスカーフ布１６ａを幾重にも横折りに折り畳んで形成する。
【００１８】
そして、図８に示すように襟部１２の一部を持ち上げて、ミニスカーフ１６をループ部１３に挿通する。さらに、ミニスカーフ１６の両端の長さを調整して、襟部１２を基に戻してから、ミニスカーフ１６の両側を広げて綺麗に形を整える手順でおこなう（図９及び図１０参照）。
【００１９】
次に、図１１から図１５に、ミニスカーフ１６をテーラード（衣服）２１に着用する手順について説明する。テーラード２１は、首回りから胸部にかけて襟部２２が形成されている。
【００２０】
襟部２２の裏側におけるサイドには、図１２に示すように、ループ部２３が設けられている。ループ部２３は、サイドにおけるＡ位置２４、Ｂ位置２５、あるいはＣ位置２６等の適宜な位置に１箇所又は複数箇所に設けることが可能である。また、ループ部２３は、例えば細幅でテープ状の布材を、襟部２２のサイドに縫着して形成し、ミニスカーフ１６等の装飾を挿通して保持できるループを備えている。
【００２１】
そして、図１３に示すように襟部２２の一部を持ち上げて、ミニスカーフ１６をループ部２３に挿通する。さらに、ミニスカーフ１６の両端の長さを調整して、襟部２２を基に戻してから、ミニスカーフ１６の両側を広げて綺麗に形を整える手順でおこなう（図１４及び図１５参照）。
【００２２】
次に、図１６から図１９に、ミニスカーフ３４をノーカラー（衣服）３１に着用する手順について説明する。ノーカラー３１は、上述のような襟部が無く、首回り３２が形成される。
【００２３】
首回り３２の内側には、図１６及び図１７に示すように、ループ部３３が取り出し自在に設けられている。つまり、ループ部３３が必要ないときには、図１６に示すように首回り３２の内側に収納しておくことが可能であり、また、ループ部３３が必要なときには、図１７に示すように首回り３２の外側に取り出すことができる。
また、ループ部３３は、上述の場合と同様に、例えば細幅でテープ状の布材を、首回り３２の内側に縫着して形成し、ミニスカーフ３４等の装飾を挿通して保持できるループを備えている。
【００２４】
そして、図１８に示すように、ループ部３３を首回り３２の外側に取り出してから、ミニスカーフ３４をループ部３３に挿通する。次に、ミニスカーフ３４の両端の長さを調整して、両側を広げて綺麗に形を整える手順でおこなう（図１８及び図１９参照）。
【００２５】
次に、図２０から図２３に、ミニスカーフ１６をブラウス（衣服）４１に着用する手順について説明する。ブラウス４１は、首回り４２に沿って襟部４３が形成されている。
【００２６】
首回り４２の中央部には、図２０及び図２１に示すように、ループ部４４が設けられている。ループ部４４は、細幅でテープ状の布材の端部にスナップ４５ａが設けられており、また、このスナップ４５ａと対応するスナップ４５ｂが、首回り４２の内側の中央部に設けられている。つまり、スナップ４５ａとスナップ４５ｂ同士を係止させ、あるいは取り外すことによって、ループ部４４が首回り４２に対して取り外し自在に形成される。
【００２７】
なお、ループ部４４の取り付け手段は、上述のスナップ止めの他には、例えばボタン止めや面ファスナー止め等の適宜の手段を選択することが可能であり、この場合もループ部４４の取り付け又は取り外しが簡単におこなえる。
【００２８】
そして、図２２に示すように、ミニスカーフ１６をループ部４４に挿通してから、ミニスカーフ１６の両端の長さを調整して、両側を広げて綺麗に形を整える手順でおこなう（図２３参照）。
【００２９】
次に、図２４から図２７に、リバーシブル型のミニスカーフ５１を第２実施例のブラウス（衣服）５２に着用する手順について説明する。リバーシブル型のミニスカーフ５１についての詳細は後述する。ブラウス５２は、首回り５３に沿って襟部５４が形成されている。
【００３０】
首回り５３の中央部には、図２４及び図２５に示すように、ループ部５５が設けられている。ループ部５５は、例えば細幅でテープ状の布材を、中央部の内側に縫着して形成し、ミニスカーフ５１等の装飾を挿通して保持できるループを備えている。
【００３１】
そして、図２６に示すように、ミニスカーフ５１をループ部５５に挿通してから、ミニスカーフ５１の両端の長さを調整して、両側を広げて綺麗に形を整えると共に、表側スナップ５１ａと裏側スナップ５１ｂとを止める手順でおこなう（図２７参照）。
【００３２】
次に、ミニスカーフ（上述のように首に巻かなくても付けられるタイプのスカーフ）の種々な例について説明する。まず、図７及び図２８に示すジャバラ型のミニスカーフ１６は、正方形状又は長方形状のミニスカーフ布１６ａを幾重にも横折りに折り畳んで、両側を広げて綺麗に形を整えて形成される。
【００３３】
また、図２９に示すシンプル型のミニスカーフ１７は、正方形状又は長方形状のミニスカーフ布１７ａを対角線に沿って幾重にも折り畳んで、両側を広げて綺麗に形を整えて形成される。
【００３４】
図３０に示すリバーシブル型のミニスカーフ５１は、横長のミニスカーフ用袋５１ｃを長手方向に沿って幾重にも折り畳んで、両側を広げて綺麗に形を整えて形成される。また、ミニスカーフ５１には、前述したように、表側スナップ５１ａと裏側スナップ５１ｂとを設けて、両スナップを係止自在なるように形成してもよい。
【００３５】
図３１は、スカーフリボン型のミニスカーフ３４を示し、大きめでボリューム大タイプであって、既述したように、図１９に示すようなノーカラー３１の衣服などに着用するのに好適である。
【産業上の利用可能性】
【００３６】
本考案の衣服は、シャツ１１、テーラード２１、ノーカラー３１、及びブラウス４１、５２について説明したが、それら以外にも、襟部を備えるタイプの衣服や、襟部が無いタイプの衣服等の様々な衣服に応用して、襟部や首回りの近傍にループ部を取り付けられることは勿論である。
【符号の説明】
【００３７】
１１  シャツ（衣服）
１２  襟部
１３  ループ部
１４、１５  スカーフ
１６  ミニスカーフ
１６ａ  ミニスカーフ布
１７  ミニスカーフ
１７ａ  ミニスカーフ布
１８  シャツ
２１  テーラード（衣服）
２２  襟部
２３  ループ部
２４  Ａ位置
２５  Ｂ位置
２６  Ｃ位置
３１  ノーカラー（衣服）
３２  首回り
３３  ループ部
３４  ミニスカーフ
４１  ブラウス（衣服）
４２  首回り
４３  襟部
４４  ループ部
４５ａ、４５ｂ  スナップ
５１  ミニスカーフ
５１ａ  表側スナップ
５１ｂ  裏側スナップ
５１ｃ  スカーフ用袋
５２  ブラウス（衣服）
５３  首回り
５４  襟部
５５  ループ部
【図１】
0003186092.tif 000003
【図２】
0003186092.tif 000004
【図３】
0003186092.tif 000005
【図４】
0003186092.tif 000006
【図５】
0003186092.tif 000007
【図６】
0003186092.tif 000008
【図７】
0003186092.tif 000009
【図８】
0003186092.tif 000010
【図９】
0003186092.tif 000011
【図１０】
0003186092.tif 000012
【図１１】
0003186092.tif 000013
【図１２】
0003186092.tif 000014
【図１３】
0003186092.tif 000015
【図１４】
0003186092.tif 000016
【図１５】
0003186092.tif 000017
【図１６】
0003186092.tif 000018
【図１７】
0003186092.tif 000019
【図１８】
0003186092.tif 000020
【図１９】
0003186092.tif 000021
【図２０】
0003186092.tif 000022
【図２１】
0003186092.tif 000023
【図２２】
0003186092.tif 000024
【図２３】
0003186092.tif 000025
【図２４】
0003186092.tif 000026
【図２５】
0003186092.tif 000027
【図２６】
0003186092.tif 000028
【図２７】
0003186092.tif 000029
【図２８】
0003186092.tif 000030
【図２９】
0003186092.tif 000031
【図３０】
0003186092.tif 000032
【図３１】
0003186092.tif 000033